(57)【要約】【課題】  眼内レンズ挿入器具を好適に収容できる安価な眼内レンズ挿入器具収容ケース及び眼内レンズ挿入システムを提供する。【解決手段】  ノズル部と、ノズル部よりも基端側に配置され、眼内レンズが設置される設置部とを有する筒状の挿入器具本体を備えた眼内レンズ挿入器具を収容する眼内レンズ挿入器具収容用のケースであって、ケースは、シートを変形させる加工方法によって形成され，眼内レンズ挿入器具の全体を収容する凹凸部が形成されているケース本体と、ケース本体とは異なる加工方法によって形成される支持部であって、ケースの凹凸部に装着されて，凹凸部に収容される眼内レンズ挿入器具を支持するための支持部と、を備えた。【選択図】      図１
2015208608.tif 000002
【特許請求の範囲】
【請求項１】
ノズル部と、
前記ノズル部よりも基端側に配置され、眼内レンズが設置される設置部と
を有する筒状の挿入器具本体を備えた眼内レンズ挿入器具を収容する眼内レンズ挿入器具収容用のケースであって、
前記ケースは、
シートを変形させる加工方法によって形成され，前記眼内レンズ挿入器具の全体を収容する凹凸部が形成されているケース本体と、
前記ケース本体とは異なる加工方法によって形成される支持部であって、前記ケースの前記凹凸部に装着されて，前記凹凸部に収容される前記眼内レンズ挿入器具を支持するための支持部と、
を備えたことを特徴とする眼内レンズ挿入器具収容用のケース。
【請求項２】
請求項１に記載の眼内レンズ挿入器具収容用のケースであって、
前記支持部を複数備え、前記眼内レンズ挿入器具の異なる部位に前記複数の支持部の各々を当接させて前記眼内レンズ挿入器具を支持することを特徴とすることを特徴とする眼内レンズ挿入器具収容用のケース。
【請求項３】
請求項２に記載の眼内レンズ挿入器具収容用のケースであって、
前記複数の支持部の少なくとも２つを連結する連結部を備えることを特徴とする眼内レンズ挿入器具収容用のケース。
【請求項４】
請求項３に記載の眼内レンズ挿入器具収容用のケースであって、
前記眼内レンズ挿入器具が前記ケースに収容された状態において、前記眼内レンズ挿入器具と前記ケース本体との間に前記連結部が挟み込まれていることを特徴とする眼内レンズ挿入器具収容用のケース。
【請求項５】
請求項３又は４に記載の眼内レンズ挿入器具収容用のケースであって、
前記連結部は、前記挿入器具本体の幅よりも狭い幅となる幅狭部を備えていることを特徴とする前記眼内レンズ挿入器具収容用のケース。
【請求項６】
請求項２〜５のいずれか１項に記載の眼内レンズ挿入器具収容用のケースであって、
前記ケース本体は、前記凹凸部の凹凸形状によって形成され、前記ケースに収容される前記挿入器具本体を把持する指が挿入されるための空間を形成する把持空間形成部を備え、
前記支持部は前記把持空間形成部を跨いだ複数の位置で前記挿入器具本体を支持することを特徴とする眼内レンズ挿入器具収容用のケース。
【請求項７】
請求項１〜６のいずれか１項に記載の眼内レンズ挿入器具収容用のケースであって、
前記支持部の少なくともいずれかを、前記ケースに収容される前記眼内レンズ挿入器具の長手方向全長の中間位置に配置したことを特徴とする眼内レンズ挿入器具収容用のケース。
【請求項８】
請求項１〜７のいずれか１項に記載の眼内レンズ挿入器具収容用のケースであって、
前記支持部の少なくともいずれかは、前記ケースに収容される前記設置部に接触することで前記眼内レンズ挿入器具を支持することを特徴とする眼内レンズ挿入器具収容用のケース。
【請求項９】
請求項１〜８のいずれか１項に記載の眼内レンズ挿入器具収容用のケースであって、
前記支持部の少なくともいずれかは、前記挿入器具本体の外面から前記挿入器具本体の長手方向に対して直交する方向に張り出す張り出し部に当接される張出当接部を備えることを特徴とする眼内レンズ挿入器具収容用のケース。
【請求項１０】
請求項１〜９のいずれか１項に記載の眼内レンズ挿入器具収容用のケースであって、
前記支持部は更に、前記挿入器具本体の可動部材の可動を規制する可動規制部を備えることを特徴とする眼内レンズ挿入器具収容用のケース。
【請求項１１】
請求項１〜１０のいずれか１項に記載の眼内レンズ挿入器具収容用のケースと、前記眼内レンズ挿入器具用のケースに収容された前記眼内レンズ挿入器具とを備えたことを特徴とする眼内レンズ挿入システム。
【発明の詳細な説明】
【技術分野】
【０００１】
本発明は、眼鏡レンズを眼内に挿入する眼内レンズ挿入器具を収容する眼内レンズ挿入器具収容用のケース、及び前記眼内レンズ挿入器具収容用のケースを備えた眼内レンズ挿入システムに関する。
【背景技術】
【０００２】
製造された眼内レンズ挿入器具をケースに収容して利用者へ送達する眼内レンズ挿入システムが知られている。例えば、特許文献１が開示する眼内レンズ挿入システムは、眼内レンズ挿入器具の形状の空洞が成形されたプラスチックケースに眼内レンズ挿入器具を収容し、可撓性蓋シートでプラスチックケースを密閉している。
【先行技術文献】
【特許文献】
【０００３】
【特許文献１】特表２００７−５０３８７２号公報
【発明の概要】
【発明が解決しようとする課題】
【０００４】
眼内レンズ挿入器具の形状の空洞が成形されたケースを製造する方法として、例えば真空成形法と射出成形法が考えられる。真空成形法は射出成形法に比べて金型にかかる費用を低減でき、ケースを安価に製造できる利点がある。しかしその反面で、真空成形法は射出成形法に比べて精度の高い成形が困難とされており、個体差（成形ばらつき）が大きいとされている。
【０００５】
成形精度が甘いと、例えば、ケースと眼内レンズ挿入器具との干渉がきつくなる場合がある。ケースに眼内レンズ挿入器具がきつく係合されていると、ケースから眼内レンズ挿入器具を取り出すことが困難となり、眼内レンズ挿入器具を速やかに使用することが困難となる。また、例えば、ケースと眼内レンズ挿入器具との干渉が緩く、ケース内での眼内レンズ挿入器具の移動が大きくなる場合がある。この場合、眼内レンズ挿入器具を収容したケースを送達する際に、ケースの内部で眼内レンズ挿入器具が動き回ってケースと衝突し、眼内レンズ挿入器具の全体又は一部が破損してしまう可能性があった。
【０００６】
本発明は、眼内レンズ挿入器具を好適に収容できる安価な眼内レンズ挿入器具収容用のケース及び眼内レンズ挿入システムを提供することを技術課題とする。
【課題を解決するための手段】
【０００７】
上記課題を解決するために、本発明は以下のような構成を備えることを特徴とする。
（１）  ノズル部と、前記ノズル部よりも基端側に配置され、眼内レンズが設置される設置部とを有する筒状の挿入器具本体を備えた眼内レンズ挿入器具を収容する眼内レンズ挿入器具収容用のケースであって、前記ケースは、シートを変形させる加工方法によって形成され，前記眼内レンズ挿入器具の全体を収容する凹凸部が形成されているケース本体と、前記ケース本体とは異なる加工方法によって形成される支持部であって、前記ケースの前記凹凸部に装着されて，前記凹凸部に収容される前記眼内レンズ挿入器具を支持するための支持部と、を備えたことを特徴とする。
【発明の効果】
【０００８】
本発明によれば、眼内レンズ挿入器具を好適に収容できる安価な眼内レンズ挿入器具収容用のケース及び眼内レンズ挿入システムを提供することができる。
【図面の簡単な説明】
【０００９】
【図１】本実施形態の眼内レンズ挿入システムを斜め上方からみた斜視図である。
【図２】図１の眼内レンズ挿入システムを斜め下方からみた図である。
【図３】図２の眼内レンズ挿入システムの構成を説明する分解斜視図である。
【図４】支持部材を斜め下方からみた斜視図である。
【図５】図１の眼内レンズ挿入システムの底面図である。
【図６】図１の眼内レンズ挿入システムを斜め下方からみた斜視図であり、張り出し部を中心とした部分斜視図である。
【図７】図１の眼内レンズ挿入システムの把持空間形成部を斜め下方からみた斜視図である。
【図８】図５のＩ−Ｉ断面図である。
【図９】可動部材の可動を説明する概略断面図であり、（ａ）保管時の状態、（ｂ）使用時の状態、の図である。
【図１０】図１の眼内レンズ挿入システムに貼り付けられるシートを説明するための概略説明図である。
【図１１】図１の眼内レンズ挿入システムを収容する梱包箱を説明するための概略説明図である。
【発明を実施するための形態】
【００１０】
以下図面を参照して、本開示における典型的な実施形態の一つについて説明する。なお、以降の説明では、眼内レンズ挿入器具収容用のケース３０をケース３０と称する。また、ケース３０と、ケース３０に収容された眼内レンズ挿入器具１０とを眼内レンズ挿入システム４０と称する。また、眼内レンズ挿入器具１０が使用された際に、眼内レンズ挿入器具１０内に充填された眼内レンズ１が押し出される方向を押出軸Ａと称する。
【００１１】
また、ケース３０に眼内レンズ挿入器具１０が収容された状態において、眼内レンズ挿入器具１０のベベル部１１３（図３参照）の開口端面が向く方向を「方向Ｘ」又は「左方」ということとする。また、ケース３０にシート８０が貼り付けられる方向を「方向Ｙ」又は「下方」ということとする。また、ケース３０に眼内レンズ挿入器具１０が収容された状態において、眼内レンズ挿入器具１０のノズル部１１２（図３参照）が向く方向を「方向Ｚ」又は「前方（先端側）」ということとする。
＜１−１．全体構成＞
図１は本実施形態の眼内レンズ挿入システム４０を斜め上方からみた斜視図である。なお、図１は説明図であり、ケース本体７０への支持部材５０の装着状態、及び支持部材５０による眼内レンズ挿入器具１０の支持状態を説明するために、ケース本体７０の一部を削り取った説明用の斜視図としている。
【００１２】
本実施形態の眼内レンズ挿入システム４０は、ケース３０と眼内レンズ挿入器具１０を備える。また、ケース３０は、ケース本体７０と支持部材５０を備える。なお、本実施形態のケース３０のケース本体７０は、シートを変形させる加工方法によって形成されている。ケース本体７０には、眼内レンズ挿入器具１０全体を収容できる凹凸部６０が形成されている。なお、本実施形態のケース３０には、凹凸部６０によって形成される空間部の少なくとも一部を塞ぐシート８０が、ケース３０の底面の鍔部３００に貼り付けられる（シート８０に関しては図１０も参考されたし）。凹凸部６０によって形成される空間部には、眼内レンズ挿入器具１０が収容される。また、眼内レンズ挿入システム４０は紙箱８１に収容される（紙箱８１に関しては図１１参照）。また、ケース本体７０の上方外側面にはシール８２が貼り付けられる。シール８２は、製造された眼内レンズ挿入システム４０の識別用として用いられる。シール８２には、ケース３０に収容される眼内レンズ挿入器具１０の種類を示す文字のほか、眼内レンズ挿入器具１０に充填される眼内レンズ１の屈折度数等が表記される。
＜１−２．眼内レンズ挿入器具＞
【００１３】
図１〜３を用いて本実施形態の眼内レンズ挿入器具１０を説明する。本実施形態の眼内レンズ挿入器具１０は、製造時に眼内レンズ１を充填（セット）しておくプリセット型の眼内レンズ挿入器具１０とされている。製造時に眼内レンズ１を充填しておくことで、使用現場で眼内レンズ１を充填する作業が不要となり、使用現場で眼内レンズ１を速やかに患者眼の眼内へ挿入することができる。なお、本実施形態の眼内レンズ挿入器具１０は樹脂材料で形成されている。眼内レンズ挿入器具１０が樹脂材料で形成されているため、金属で成形する場合に対して、使用者に眼内レンズ挿入器具１０を安価に提供することができる。また、使用者は、眼内レンズ１を眼内に挿入した後に、眼内レンズ挿入器具１０を容易に廃棄することができる。眼内レンズ挿入器具１０を容易に廃棄できるため、使用毎の眼内レンズ挿入器具１０の滅菌処理が不要となり、眼内レンズ挿入器具１０を容易に取り扱うことができる。なお、眼内レンズ挿入器具１０は樹脂材料を用いた射出成形（モールド成型）、樹脂の削り出しによる切削加工などで成形されればよい。なお、眼内レンズ挿入器具１０に金属材料を使用してもよいことは言うまでもない。また、本実施形態の眼内レンズ挿入器具１０を再利用してもよい。
【００１４】
本実施形態の眼内レンズ挿入器具１０は、筒状の挿入器具本体１００と棒状のプランジャー２００を備える。挿入器具本体１００は本体筒部１３０、張り出し部１９０、設置部１２０、保持部１２１、可動部材１２２、及び挿入部１１０を備える。なお、本実施形態の眼内レンズ挿入器具１０に使用する眼内レンズ１は、折り畳むことが可能な軟性眼内レンズとされている。
【００１５】
筒状の挿入器具本体１００は、本体筒部１３０の基端から挿入部１１０の先端まで連通する中空部を有している。本体筒部１３０は外側面に張り出し部１９０を備えている。張り出し部１９０は本体筒部１３０の基端よりやや先端側に設けられ、本体筒部１３０の左右外側面から眼内レンズ挿入器具１０の押出軸Ａの垂直方向に伸びる羽状形状で形成されている。張り出し部１９０は、プランジャー２００で眼内レンズ１を押し出す際に、使用者（術者又は介助者等）の指を引っ掛ける箇所として用いられる。設置部１２０は本体筒部１３０の先端に接続される。設置部１２０はプランジャー２００で眼内レンズ１を押し出す直前に眼内レンズ１が配置される位置となる。保持部１２１は設置部１２０の下方（図２，図３だと上方）に接続される。保持部１２１は、眼内レンズ１が充填された眼内レンズ挿入器具１０を保管する際に、眼内レンズ１を押出軸Ａの軸外で保持する。保持部１２１には、可動部材１２２が有する突出部を通過させる貫通孔が形成されている。
【００１６】
保持部１２１の下方（図２，図３だと上方）には可動部材１２２が接続される。本実施形態の可動部材１２２は、挿入器具本体１００に対して変位可能とされている。より詳しくは、可動部材１２２の先端には保持部１２１と連結するヒンジ軸が形成されており、押出軸Ａと直交する左右方向に伸びるヒンジ軸を回動する際の支点として、可動部材１２２の基端側が回転する。なお、可動部材１２２は、使用者が指で押すことで回動する。なお、眼内レンズ挿入システム４０の完成時、眼内レンズ１は保持部１２１によって押出軸Ａの軸外で保持されている（図９（ａ）参照）。使用現場等で使用者が可動部材１２２を押出軸Ａに近づく方向に押すと、可動部材１２２が回動し、保持部１２１が保持している眼内レンズ１の保持が解除され、眼内レンズ１は押出軸Ａに近づく方向へと移動し、眼内レンズ１は押出軸Ａ上に位置される（図９（ｂ）参照）。眼内レンズ１が押出軸Ａ上に位置されると、眼内レンズ挿入器具１０に充填されている眼内レンズ１をプランジャー２００で眼内へと押し出すことが可能となる。
【００１７】
挿入部１１０は先細り部１１１とノズル部１１２を備える。先細り部１１１は設置部１２０の先端側に接続される。先細り部１１１は先細りのテーパー形状で形成されている。先細り部１１１は薄肉で形成されているため、先細り部１１１の内側に形成される中空部も先端に向かって先細りとなる。先細りとなる中空部によって、設置部１２０に設置された軟性の眼内レンズ１は、プランジャー２００に押されてノズル部１１２の先端から排出されるまで小さく折り畳まれる。先細り部１１１の先端側にはノズル部１１２が接続される。ノズル部１１２は先端方向に伸びる円柱形状で形成されている。ノズル部１１２は患者眼の切開創に挿入される。先細り部１１１の中空部とノズル部１１２の中空部は連通しているため、先細り部１１１で小さく折り畳まれた眼内レンズ１は、ノズル部１１２の先端の開口部から眼内へと排出される。なお、ノズル部１１２は、先端にベベル部１１３を備えている。ベベル部１１３はノズル部１１２の先端に形成された開口端面であり、押出軸Ａに対して開口端面が左方（図２，図３だと右方）に傾斜して形成されている。ベベル部１１３によってノズル部１１２の先端が尖ることで、ノズル部１１２を患者眼の切開創へ容易に挿入することができる。また、傾斜したベベル部１１３の開口端面を所定の方向に向けることで、折り畳まれた眼内レンズ１が眼内レンズ挿入器具１０から排出される際に、眼内レンズ１は開口端面が向く方向に復元されてゆく。眼内レンズ１が所定の方向に復元されることで、患者眼への眼内レンズ１の設置が容易となるわけである。
【００１８】
続けて、本実施形態のプランジャー２００を説明する。プランジャー２００は棒状の部材である。プランジャー２００は、眼内レンズ挿入器具１０に充填された眼内レンズ１を患者眼の眼内へと押し出す押出手段とされている。プランジャー２００は、押圧部２２０、軸基部２１０、押出棒、及び眼内レンズ当接部を備える。押圧部２２０はプランジャー２００の基端に配置される。押圧部２２０は押出軸Ａから遠ざかる方向に伸びる平板状の部材として形成されている。押圧部２２０の基端には、押出軸Ａと直交する押圧面が形成されている。押圧面は、眼内レンズ１をプランジャー２００で押し出すために、使用者の指が当接される部位となる。軸基部２１０は押圧部２２０の先端側に接続される。軸基部２１０は横断面の形状が略矩形形状であり、押出軸Ａの先端方向に伸びる柱状部材とされている。また、軸基部２１０は挿入器具本体１００の中空部の中空断面積に対応した太さで形成されている。軸基部２１０の先端側には、押出軸Ａから遠ざかる方向に伸びる羽根状の係合羽根部が形成されている。なお、本実施形態の挿入器具本体１００には、係合羽根部に対応した大きさの係合穴部が押出軸Ａの先端方向の異なる位置に複数個設けられている。本実施形態の眼内レンズ挿入システム４０は、挿入器具本体１００の基端側の係合孔部とプランジャー２００の係合羽根部とが係合された状態で、ケース３０に眼内レンズ挿入器具１０が収容される。つまり、プランジャー２００の進行が係止された状態で、眼内レンズ挿入器具１０はケース３０に収容される。
【００１９】
押出棒は、軸基部２１０の先端側に接続される。押出棒の横断面形状は略円形であり、押出棒は、押出軸Ａの方向に伸びる棒状部材とされている。ノズル部１１２の先端開口部を挿通し得る太さで押出棒は形成されている。押出棒の先端側に眼内レンズ当接部が接続される。眼内レンズ当接部は、眼内レンズ１と当接して眼内レンズ１を押し出す部位である。使用者が押出軸Ａの先端方向にプランジャー２００を進行させると、設置部１２０の押出軸Ａ上に位置された眼内レンズ１に眼内レンズ当接部が当接する。プランジャー２００を更に押出軸Ａの先端方向に進行させると、眼内レンズ１は先端方向に移動して行き、先細り部１１１で小さく折り畳まれた後、ノズル部１１２の先端開口部から眼内レンズ１が排出される。
【００２０】
なお、本実施形態の眼内レンズ挿入器具１０は、眼内レンズ１を押出軸Ａの軸外で保管するが、眼内レンズ１の保管位置は押出軸Ａの軸外に限るものではない。例えば、着脱可能な規制部材を眼内レンズ挿入器具１０に装着することとして、眼内レンズ挿入器具１０に充填されている眼内レンズ１の移動を規制してもよい。この場合、着脱可能な規制部材が可動部材１２２となる。また、眼内レンズ１を押出軸Ａ上の設置部１２０とは異なる位置で保管し、挿入器具本体１００に対して変位可能な可動部材１２２を押出軸Ａの軸方向（例えば先端方向）へ変位させることで、眼内レンズ１を設置部１２０に移動させる形態としてもよい。
＜１−２．ケース＞
【００２１】
続けて、図１〜３を用いて本実施形態のケース３０を説明する。ケース３０は、ケース本体７０と支持部材５０を備える。ケース本体７０には支持部材５０が装着される。ケース本体７０は眼内レンズ挿入器具１０全体を収容する。ケース本体７０は凹凸部６０を備える。凹凸部６０は凹凸形状で形成されており、凹凸形状によって形成される陥没空間部に眼内レンズ挿入器具１０が収容される。なお、凹凸部６０はケース本体７０の中央部に形成されており、凹凸部６０の周囲には平坦な鍔形状の鍔部３００が形成されている。なお、本実施形態の説明では、鍔部３００の平面をケース３０の基準平面Ｐと定義し、以降の説明で基準平面Ｐを使用する。
【００２２】
なお、本実施形態のケース本体７０は、熱を加えて柔らかくした樹脂シートを金型に押し当て、シートと金型の間の空気を抜いてシートを金型の形状に成形する真空成形法で成形される。なお、真空形成法で加工された部品はブリスターパック，ブリスターケース等と呼ばれている。真空成形法は金型が片面だけでもケース等を成形できるため、射出成形法でケースを成形する場合と比べて金型にかかる費用を低減でき、ケース本体７０を安価に製造することができる。また、本実施形態のケース本体７０は、材料として、透明色の樹脂を用いている。ケース本体７０を透明色の樹脂で形成することで、眼内レンズ挿入システム４０の完成時，搬送時，または保管時に、透明なケース本体７０を介して、ケース本体７０内に収容された眼内レンズ挿入器具１０の収容状態を視認することができる。また、眼内レンズ挿入システム４０の完成時，搬送時，または保管時に、眼内レンズ挿入器具１０を外部からの衝撃等から保護することができる。なお、本実施形態のケース本体７０は、断面の厚さが１ｍｍ以下の薄肉で形成されている。したがって、ケース本体７０を容易に成形することができる。なお、ケース本体７０は薄肉であるため、真空成形法によって片面（表面）の所定位置に所定形状の凸部（隆起部）が形成されると、片面の所定位置に対応した他面（裏面）の所定位置には、片面の凸形状に対応した凹形状（陥没部）が形成される。なお、本実施形態のケース３０の鍔部３００の底面側にはシート８０が接着（例えば溶着）される。シート８０は不透明であるため、図１のように、透明なケース３０の表面を上方に向けて載置することで、ケース３０に収容された眼内レンズ挿入器具１０の状態を好適に視認することができる。なお、本実施形態のシート８０は可撓性を有している。また、シート８０はＥＯガス（酸化エチレンガス）等の滅菌ガス（殺菌ガス）を通過させることができる。したがって、ケース３０にシート８０を貼り付けた後でも眼内レンズ挿入器具１０の滅菌処理を行うことが可能とされている。前述したように、シート８０は可撓性を有しているため、使用時に容易に剥ぎ取ることが可能とされている。ただし、ケース３０にシート８０を貼り付けてガス滅菌する際に、眼内レンズ挿入システム４０を加熱するため、薄肉の樹脂シートで形成されたケース本体７０は熱で若干変形される場合もある。つまり、熱が加えられると、真空成形法によって変形される前の形状（シート状）に戻り易くなるわけである。本実施形態のケース３０は支持部材５０を備えることで、ケース本体７０に変形があっても好適に眼内レンズ挿入器具１０を支持できる。
【００２３】
ケース本体７０の凹凸部６０は、眼内レンズ挿入器具収容陥没部３０２を備える。眼内レンズ挿入器具収容陥没部３０２は、ケース本体７０の裏面（図１の底面）が基準平面Ｐから上方（図２，図３だと下方）に陥没した陥没部であり、眼内レンズ挿入器具１０の体積を収容できる陥没形状が形成されている。また、眼内レンズ挿入器具収容陥没部３０２は、挿入器具本体収容陥没部３０３とプランジャー収容陥没部３０４を備える。挿入器具本体収容陥没部３０３は、挿入器具本体１００の体積を収容できる陥没形状で形成されている。プランジャー収容陥没部３０４は、プランジャー２００の体積を収容できる陥没形状で形成されている。挿入器具本体収容陥没部３０３とプランジャー収容陥没部３０４は接続されており、連続した陥没形状が形成されている。挿入器具本体収容陥没部３０３及びプランジャー収容陥没部３０４は、挿入器具本体１００及びプランジャー２００の各々を投影した投影形状を収容できる陥没形状で形成されている。
【００２４】
挿入器具本体収容陥没部３０３には、挿入器具本体１００の各部位を収容できる連続した陥没形状が形成されている。より詳しくは、挿入器具本体収容陥没部３０３の先端には挿入部１１０を収容する挿入部収容陥没部が形成されている。挿入部収容陥没部の基端側には、設置部１２０を収容する設置部収容陥没部が接続されている。設置部収容陥没部の基端側には、本体筒部１３０を収容する本体筒部収容陥没部が接続されている。本体筒部収容陥没部の基端よりやや先端側には、張り出し部１９０を収容する張り出し部収容陥没部が左右端部に接続されている。
【００２５】
設置部収容陥没部及び本体筒部収容部には、後述する支持部材５０の可動規制部５０４（図２及び図４参照）を収容するための支持部材収容陥没部が接続されている。本体筒部収容陥没部の先端と張り出し部収容陥没部の中間位置に把持空間形成部３０１が接続されている。把持空間形成部３０１は、本体筒部収容陥没部の左右各々の端部から左方向及び左方向に伸びる連続した陥没形状で形成されている。把持空間形成部３０１は、ケース３０に収容される眼内レンズ挿入器具１０を把持する指が挿入されるための空間を形成している。把持空間形成部３０１によって、使用者はケース３０に収容された眼内レンズ挿入器具１０の本体筒部１３０の左右側部を左右方向から把持することが可能とされている。把持空間形成部３０１は、本体筒部収容陥没部の左右端部から鍔部３００まで伸びている。
【００２６】
挿入器具本体収容陥没部３０３の上方（図２，図３だと下方）には、支持部材５０の連結部５０２を収容できる連結部収容陥没部が接続されている。したがって、ケース３０に眼内レンズ挿入器具１０が収容された状態では、眼内レンズ挿入器具１０とケース本体７０との間に支持部材５０の連結部５０２が挟み込まれる（図７、図８参照）。
【００２７】
プランジャー収容陥没部３０４には、プランジャー２００の押圧部２２０及び軸基部２１０を収容できる連続した陥没形状が形成されている。より詳しくは、プランジャー収容陥没部３０４の基端には、押圧部２２０を収容する押圧部収容陥没部が形成されている。押圧部収容陥没部の先端側には、軸基部２１０を収容する軸基部収容陥没部が接続されている。なお、プランジャー収容陥没部３０４の先端は、挿入器具本体収容陥没部３０３の基端に接続されており、挿入器具本体収容陥没部３０３の先端からプランジャー収容陥没部３０４まで連続した陥没形状が形成されている。
【００２８】
なお、挿入器具本体収容陥没部３０３及びプランジャー収容陥没部３０４を形成する陥没形状は、ケース３０に収容される眼内レンズ挿入器具１０の移動を規制するための移動規制部９００となる。移動規制部９００はケース本体７０の陥没量を変化させることで形成されている。本実施形態のケース３０は、移動規制部９００を複数備えており、眼内レンズ挿入器具１０の異なる部位に各々の移動規制部９００（９００Ａ〜９００Ｇ）を当接させている。より詳しくは、本実施形態のケース３０は、ケース３０に収容された眼内レンズ挿入器具１０の押圧部２２０、軸基部２１０、及び張り出し部１９０に移動規制部９００（９００Ａ〜９００Ｇ）を当接させている。ケース本体７０が備える移動規制部９００によって、ケース３０に収容された眼内レンズ挿入器具１０の上方、左方，右方，前方，後方への移動を規制することが可能とされている。
【００２９】
なお、本実施形態のケース３０は、ケース３０に収容された眼内レンズ挿入器具１０の下方への移動の抑制を、後述する支持部材５０の支持部（第一支持部５０１，第二支持部５０３）によって行うこととしている。本実施形態のケース本体７０は薄肉の樹脂で形成されているため変形が容易とされている。したがって、例えば、移動規制部９００が眼内レンズ挿入器具１０を挟持する形態とすれば、移動規制部９００でもケース３０に収容された眼内レンズ挿入器具１０の下方への移動を抑制できる。ただし、この場合、ケース３０から眼内レンズ挿入器具１０を取り出す際に力を要する可能性が高い。ケース本体７０はシートを変形させる加工方法で形成するため、成形精度を出し難い。また、ケース本体７０は薄肉の樹脂で形成されているため変形しやすい。したがって、ケース３０から眼内レンズ挿入器具１０を取り出す際の取り出し力を好適にすることは困難と考えられる。一方、本実施形態のケース３０は、ケース本体７０とは異なる加工方法によって形成した支持部（後述する第一支持部５０１，第二支持部５０３）を備えることで、ケース３０に収容される眼内レンズ挿入器具１０を支持部（第一支持部５０１，第二支持部５０３）で好適に支持するとともに、ケース３０から好適な力で眼内レンズ挿入器具１０を取り出すことを可能としている。
＜１−３．支持部材＞
【００３０】
図４を用いて本実施形態の支持部材５０を説明する。なお、真空成形法で成形したケース本体７０と異なり、支持部材５０は樹脂材料を用いた射出成形（モールド成型）、樹脂の削り出しによる切削加工などで成形されていればよい。なお、支持部材５０に金属材料を使用してもよい。支持部材５０は第一支持部５０１と第二支持部５０３と連結部５０２とを備える。第一支持部５０１は支持部材５０の先端に位置される。第一支持部５０１は、挿入器具本体１００の可動部材１２２の可動を規制すると共に、ケース３０内で眼内レンズ挿入器具１０を支持するための部材とされている。第一支持部５０１の基端に連結部５０２が接続される。連結部５０２は、第一支持部５０１と第二支持部５０３を連結する部材であり、連結部５０２によって支持部材５０が一体成形されている。連結部５０２の基端に第二支持部５０３が位置される。第一支持部５０１は第一挟持部５１０（５１０Ａ，５１０Ｂ）と可動規制部５０４とノズル部保護部５０５とを備える。ノズル部保護部５０５は第一支持部５０１の先端に位置される。ノズル部保護部５０５の基端に可動規制部５０４が接続される。可動規制部５０４の基端に第一挟持部５１０（５１０Ａ，５１０Ｂ）が接続される。なお、可動規制部５０４は挿入器具本体１００の可動部材１２２の可動を規制する。したがって、第一支持部５０１が挿入器具本体１００と係合すると、挿入器具本体１００の可動部材１２２の可動が規制される。ノズル部保護部５０５は先細り部１１１（図３参照）の側方（本実施形態の図２では先細り部１１１の下方，右方，及び左方）に位置され、挿入器具本体１００の挿入部１１０の破損を抑制する。なお、第一支持部５０１を第一挟持部５１０（５１０Ａ，５１０Ｂ）と可動規制部５０４で形成してもよい。なお、第一支持部５０１はケース本体７０と係合するための第一ケース係合部６１０を複数箇所に備えている。第一挟持部５１０と可動規制部５０４とノズル部保護部５０５の詳細は後述する。
【００３１】
連結部５０２は第一支持部５０１の基端に接続されている。連結部５０２は板状の支基とされており、連結部５０２は、挿入器具本体１００の設置部１２０の基端から張り出し部１９０の先端までの長さより若干短く形成されている。連結部５０２の長手方向全長の略半分の位置の左右端には、連結部５０２を左方向及び左方向から括れさせる幅狭部７００が形成されている。幅狭部７００によって連結部５０２には先端から基端までの間に幅狭となる箇所が形成されている。つまり、押出軸Ａに交差する左右方向における連結部５０２の幅は均一ではなく、一部（本実施形態では前後方向の中央部）の幅が他の部分の幅に比べて短い。幅狭部７００は、使用者の指と支持部材５０との当接を低減させるために設けられている。
【００３２】
第二支持部５０３は連結部５０２の基端に接続されている。第二支持部５０３は、第二挟持部５２０（５２０Ａ，５２０Ｂ）と張出当接部８００と第二ケース係合部６２０（６２０Ａ，６２０Ｂ）を備える。第二挟持部５２０は第二支持部５０３の先端に位置される。第二支持部５０３の基端に張出当接部８００が接続される。張出当接部８００の左右両端には第二ケース係合部６２０が接続される。第二挟持部５２０は第一挟持部５１０と略同じ形状で形成されている。張出当接部８００は挿入器具本体１００の張り出し部１９０と当接し、張出当接部８００は、支持した挿入器具本体１００の前方への移動を抑制する（図６参照）。
【００３３】
図１，図４，図８を用いて本実施形態の挟持部（第一挟持部５１０及び第二挟持部５２０）を説明する。なお、第一挟持部５１０と第二挟持部５２０は略同じ形状で形成されているため、以降の説明では第二挟持部５２０を用いて説明する。第二挟持部５２０は右側挟持部５２０Ａと左側挟持部５２０Ｂを備える。なお、右側挟持部５２０Ａと左側挟持部５２０Ｂは軸対象の形状で形成されており、長手方向に伸びる支持部材５０の中心線から同じ距離離間した位置に右側挟持部５２０Ａと左側挟持部５２０Ｂが形成されている。右側挟持部５２０Ａは、挟持部平板部５２１Ａと挟持部突出部５２２Ａを備える。挟持部平板部５２１Ａは平板状の部材であり、連結部５０２と接続される第二支持部５０３の板状支基５０７の左右端部から下方（図４だと上方）に伸長した突出形状で形成されている。板状支基５０７から下方へ遠ざかる方向に伸びる挟持部平板部５２１Ａの長さは、ケース本体７０に支持部材５０を装着した際に、挟持部平板部５２１Ａの先端が基準平面Ｐを超えない長さで形成されている。本実施形態の挟持部平板部５２１Ａの長さは、挿入器具本体１００の本体筒部１３０の厚さＬＨＢ（上下方向）の半分を超えるが、本体筒部１３０の厚さＬＨＢ（上下方向）よりも若干短い長さで形成されている。また、左右一対の挟持部平板部５２１Ａの内面（互いに面する面）の間隔ＬＷＣは、本体筒部１３０の幅（左右方向）の最大値ＬＷＢよりも若干長くなるように離間して形成されている。
【００３４】
挟持部平板部５２１Ａの先端部の内面には、対向する挟持部平板部５２１Ｂの方向に突出する挟持部突出部５２２Ａが設けられている。挟持部突出部５２２Ａの押出軸Ａと直交する断面の外郭線は、内側（図４だと右方）に向かって突出する円弧形状を描いている。挟持部突出部５２２Ａの上下端部は、挟持部平板部５２１Ａの外郭線と滑らかに接続されている。なお、一対の挟持部突出部５２２（５２２Ａ，５２２Ｂ）同士が最も近づく挟持部突出部５２２の突出頂点を結んだ線長ＬＷＡは、本体筒部１３０の幅（左右方向）の最大値ＬＷＢよりも若干短く形成されている。また、挟持部突出部５２２の突出頂点が形成される板状支基５０７からの距離ＬＨＡは、本体筒部１３０の厚さＬＨＢ（上下方向）の半分を若干超える距離とされている。したがって、眼内レンズ挿入器具１０の外側面と第二支持部５０３の板状支基５０７とが当接する地点まで眼内レンズ挿入器具１０と支持部材５０が近接されると、一対の第二挟持部５２０（５２０Ａ，５２０Ｂ）によって眼内レンズ挿入器具１０の本体筒部１３０が挟持される。また、挟持部平板部５２１Ａが下方へ向くように支持部材５０がケース本体７０に装着されていても、ケース３０から眼内レンズ挿入器具１０が落下し難い形状で第二挟持部５２０が形成されている。なお、本実施形態の眼内レンズ挿入器具１０は、本体筒部１３０の壁部の外側面に挟持部（第一挟持部５１０，第二挟持部５２０）の形状に対応した挟持部陥没部５２３を設けており、より好適に眼内レンズ挿入器具１０を支持できる。挟持部陥没部５２３はベース支基５０６又は板状支基５０７に平行な平行面と、平行面に直交する直交面で形成されている。挟持部陥没部５２３を設けることで、眼内レンズ挿入器具１０の重さが挟持部（５１０，５２０）に掛かっても、挟持部（５１０，５２０）の挟持部平板部５２１が外側に開き難い機構になっている。したがって、眼内レンズ挿入器具１０の自重によって支持部（５０１，５０３）の支持が外れてしまう事象を、より生じ難くしている。
【００３５】
続けて図４，図９を用いて本実施形態の可動規制部５０４について説明する。可動規制部５０４は、板状のベース支基５０６と，ベース支基５０６の左右各々の端部から下方（図４だと上方）に伸びる左右側板５３０（５３０Ａ，５３０Ｂ）を備える。ベース支基５０６の略中央には、下方に伸びる一対の突出部５３５が形成されている。突出部５３５は、眼内レンズ挿入器具１０の設置部１２０の壁部に形成されている開口孔を貫通し、設置部１２０に充填される眼内レンズ１の移動を抑制する。また、左右側板５３０の内面（左右側板５３０同士が対向する面側）には、左右側板５３０の上端から下方に伸びる複数のリブ（５３１〜５３３）が形成されている。なお、本実施形態のリブ（５３１〜５３３）の基端はベース支基５０６に接続されている。リブ（５３１〜５３３）は先端方向に離間して配置されている。離間した各々のリブ（５３１〜５３３）の間隔は、挿入器具本体１００の設置部１２０の左方及び右方の外側面に形成されている凹凸形状に対応した間隔で形成されている。複数のリブ（５３１〜５３３）は、基端側に配置されるリブ（５３１〜５３３）ほど、リブ（５３１〜５３３）の長さが長くなるように形成されている。
【００３６】
なお、リブ（５３１〜５３３）の長さとは、ベース支基５０６からリブの先端（図４だと上端）までを示す。例えば、本実施形態のリブ５３１の長さは、リブ５３３の長さよりも長く形成されている。リブ（５３１〜５３３）の先端が可動部材１２２に当接することによって、ケース３０に収容された眼内レンズ挿入器具１０の可動部材１２２の可動が規制される（図９（ａ）参照）。ケース３０から眼内レンズ挿入器具１０を取り出した際には、眼内レンズ挿入器具１０の可動部材１２２の可動の規制が解除され、可動部材１２２を押出軸Ａの方向に押し込むことが可能となる（図９（ｂ）参照）。なお、図９（ｂ）は図９（ａ）との比較のために眼内レンズ挿入器具１０を下方に取り出す例示であり、ケース３０を上下方向逆にして、眼内レンズ挿入器具１０を上方に取り出してもよい。なお、ケース３０を他の方向に向けて眼内レンズ挿入器具１０をケース３０の向きに対応した方向に取り出してもよいことは言うまでもない。
【００３７】
なお、前述のとおり、リブ（５３１〜５３３）は、設置部１２０の左方及び右方の外側面に形成されている凹凸形状に対応した間隔で形成されている。詳細には、リブ（５３１〜５３３）と設置部１２０とが僅かに当接される程度の間隔でリブ（５３１〜５３３）が形成されている。リブ（５３１〜５３３）と設置部１２０とを軽く係合させている理由は、眼内レンズ挿入システム４０の組み立て易さ、及びケース３０から眼内レンズ挿入器具１０の取り出し易さを向上させるためである。したがって、本実施形態の第一支持部５０１は、可動規制部５０４で可動部材１２２の可動の規制を行い、可動規制部５０４に連結している第一挟持部５１０で眼内レンズ挿入器具１０の支持を行うこととしている。したがって、本実施形態のケース３０は、第一支持部５０１の装着されたケース３０に眼内レンズ挿入器具１０を容易に着脱することが可能であり、かつ、可動規制部５０４で眼内レンズ挿入器具１０の可動部材１２２の可動の規制を好適に行うことが可能とされている。なお、可動規制部５０４に第一挟持部５１０を備えてもよい。つまり、支持部材５０はケース本体７０に着脱可能であるが、使用時に、支持部材５０はケース本体７０から取り外す必要がないため、支持部材５０とケース本体７０の係合は、支持部材５０と眼内レンズ挿入器具１０の係合よりも強い係合力で係合されている。また、本実施形態の眼内レンズ挿入システム４０は、支持部材５０をケース本体７０とは異なる加工方法で形成しているため、例えば、上述したように、眼内レンズ挿入器具１０と支持部材５０とが係合する構造を形成し易く、支持部材５０で眼内レンズ挿入器具１０を好適に支持することができる。なお、支持部材５０の眼内レンズ挿入器具１０と当接する部位を細かい凹凸形状で形成し、摩擦を増加させてもよい。
【００３８】
続けて、本実施形態のノズル部保護部５０５について説明する。可動規制部５０４の先端にノズル部保護部５０５が接続されている。ノズル部保護部５０５は、眼内レンズ挿入器具１０の挿入部１１０の損傷を防ぐためのものとされている。つまり、ノズル部保護部５０５は、眼内レンズ挿入器具１０をケース３０から取り出す際に、ノズル部１１２をはじめとする挿入部１１０の先端部とケース本体７０とが当接し、挿入部１１０を破損してしまう不具合を抑制するものである。特に、ノズル部１１２の先端はベベル部１１３によって尖った形状とされているため、不用意に他の部材が当接すると損傷し易い。したがって、本実施形態のノズル部保護部５０５は、眼内レンズ挿入器具１０が傾斜した際に、ノズル部１１２がケース本体７０に当接する前に、ノズル部保護部５０５と先細り部１１１とが当接するように形成している。
【００３９】
なお、第一支持部５０１の左右側板５３０の外面側には第一ケース係合部６１０が形成されている。第一ケース係合部６１０は左右側板５３０の外側面から外側に突出し、斜面が上方（図４では下方）に向くテーパー形状で形成されている。また、第二支持部５０３の張出当接部８００の左右両端には第二ケース係合部６２０が接続されている。第二ケース係合部６２０は張出当接部８００の左右端部から外側に突出し、斜面が上方（図４では下方）に向くテーパー形状で形成されている。第一ケース係合部６１０及び第二ケース係合部６２０の各々は、ケース本体７０に形成されている複数の支持部材係合部９１０の少なくともいずれかと係合する。第一ケース係合部６１０（第二ケース係合部６２０）と支持部材係合部９１０とが係合することで、ケース本体７０に支持部材５０が装着される。
【００４０】
なお、支持部材係合部９１０は、ケース本体７０の凹凸部６０の側壁の一部を水平方向かつ陥没空間が少なくなる方向に突出させることで支持部材係合部９１０が形成されている。ケース本体７０の裏面側（図３だと上方）から支持部材５０をケース本体７０に近接させると、テーパー形状の基端部（図４だと上端部）に形成されている水平面と支持部材係合部９１０の突出部とが係合し、ケース本体７０に支持部材５０が装着される。なお、ケース本体７０と支持部材５０とは押出軸Ａ方向の異なる複数の位置で係合する。本実施形態のケース３０は、支持部材５０が眼内レンズ挿入器具１０を支持した状態でケース３０の裏面を下方に向けても、ケース３０から支持部材５０が外れない係合力でケース本体７０と支持部材５０とが係合されている。また、本実施形態の支持部材５０は、眼内レンズ挿入器具１０をケース３０から取り出しても、眼内レンズ挿入器具１０と一緒に支持部材５０が外れてしまうことのない係合力で支持部材５０とケース本体７０とが係合されている。したがって、ケース本体７０とは異なる加工方法で形成した支持部材５０で眼内レンズ挿入器具１０を好適に支持し、かつ、ケース３０から眼内レンズ挿入器具１０を容易に取り出すことができる。なお、支持部材５０とケース本体７０を異なる加工方法で形成するため、支持部材５０で眼内レンズ挿入器具１０の可動部材１２２の可動を好適に規制できる。なお、ケース本体７０に支持部材５０を接着剤で接着してもよいが、使用する接着剤の生体適合性を考慮する必要がある。なお、本実施形態のケース３０は、ケース本体７０と支持部材５０の係合構造と、支持部材５０と眼内レンズ挿入器具１０の係合構造を異ならせ、支持部材５０のケース本体７０への好適な装着と、支持部材５０による眼内レンズ挿入器具１０の好適な支持及び眼内レンズ挿入器具１０の好適な取り出しを両立させている。
【００４１】
なお、本実施形態のケース３０は、ケース３０に収容された眼内レンズ挿入器具１０の長手方向全長ＬＢの中間となる中間位置（図５だと断面Ｉ−Ｉの位置）に第二支持部５０３を配置している（図５参照）。したがって、眼内レンズ挿入器具１０の長手方向の先端付近又は基端付近の位置だけで眼内レンズ挿入器具１０を支持する場合に対して、眼内レンズ挿入器具１０の端部と支持箇所との最大距離が短くなるため、ケース３０に収容された眼内レンズ挿入器具１０の移動を効率よく抑制することができる。また、本実施形態のケース３０は、把持空間形成部３０１よりも先端側と基端側の各々の位置で眼内レンズ挿入器具１０を支持する。したがって、眼内レンズ挿入器具１０を指で把持した位置の先端側と基端側に各々支持力がかかった状態で眼内レンズ挿入器具１０を取り出すため、ケース３０の基準平面Ｐに対して平行な角度で眼内レンズ挿入器具１０をケース３０から取り出し易くなる（図７参照）。例えば、指で把持した位置の片方（先端側又は基端側の何れか）のみ支持力がかかった状態で眼内レンズ挿入器具１０をケース３０から取り出す場合、眼内レンズ挿入器具１０の先端側又は基端側が基準平面Ｐに対して傾斜し易くなる。眼内レンズ挿入器具１０がケース３０の近くで傾斜すると、眼内レンズ挿入器具１０の先端部又は基端部がケース本体７０とが不用意に当接し、眼内レンズ挿入器具１０を破損する可能性がある。なお、長手方向全長ＬＢの中間となる中間位置に第二支持部５０３を設けず、眼内レンズ挿入器具１０の重心位置に設けてもよい。また、長手方向全長ＬＢの中間となる中間位置と重心位置の間に第二支持部５０３を設けてもよい。
【００４２】
なお、本実施形態のケース３０は、支持部（５０１，５０３）と移動規制部９００（９００Ａ〜９００Ｇ）とで眼内レンズ挿入器具１０の移動の規制を使い分け、支持部（５０１，５０３）と移動規制部９００を併用している。より詳しくは、眼内レンズ挿入器具１０の移動に対して精度の高い移動規制を要する箇所は支持部（５０１，５０３）で眼内レンズ挿入器具１０を挟持及び当接させ、大まかな移動の規制を行う箇所は移動規制部９００を眼内レンズ挿入器具１０に当接させる。したがって、ケース３０の全体を射出成形で形成しなくとも、ケース３０内で眼内レンズ挿入器具１０の移動を好適に規制することができる。したがって、眼内レンズ挿入器具１０をケース３０に収容した状態で眼内レンズ挿入システム４０を移動させても、移動中の振動などによって眼内レンズ挿入器具１０が破損または故障する事象を抑制することができる。本実施形態の眼内レンズ挿入システム４０は、ケース３０の成形にかかる金型費用を低減させることでケース３０を安価に製造することができ、眼内レンズ挿入システム４０を安価に使用者へ提供できる。
＜１−５．組立方法＞
作業者は、ケース本体７０の表面（図１だと平面）が下方を向くように、ケース本体７０を作業台に載せる。続けて作業者は、ケース本体７０に支持部材５０を装着する。続けて作業者は、支持部材５０の装着されたケース３０に眼内レンズ挿入器具１０を収容する。また、眼内レンズ挿入器具１０に眼内レンズ１を充填する。続けて、作業者は、ケース本体７０の鍔部３００にシート８０を接着（溶着）し、眼内レンズ挿入器具１０の収容された凹凸部６０の収容空間をシート８０で密閉する。続けて、シート８０で密閉されたケース３０をガスで滅菌する。なお、シート８０は滅菌ガスを通過させるため、ケース３０にシート８０が貼り付けられた状態でケース３０を滅菌できる。続けて、作業者は、ケース３０の上方外側面にシール８２を貼り付ける。続けて作業者は、紙箱８１に滅菌処理のされた眼内レンズ挿入システム４０を収容する。なお、紙箱８１は厚紙で形成されている。紙箱８１の主な目的は、ケース３０に収容されている眼内レンズ挿入器具１０の種類の識別性を向上させることと、複数の眼内レンズ挿入システム４０を重ねて搬送及び保管し易くなる点がある。なお、紙箱８１を使用せずに眼内レンズ挿入システム４０を搬送してもよい。
＜２．使用方法＞
【００４３】
使用者は、紙箱８１から眼内レンズ挿入システム４０を引き出す（図１１参照）。続けて、ケース３０に貼り付けられているシート８０を剥がす（図１０参照）。続けて使用者は、ケース３０から眼内レンズ挿入器具１０を取り出す（図７参照）。なお、ケース３０の把持空間形成部３０１に指を入れて、眼内レンズ挿入器具１０の本体筒部１３０を側方（左右方向）から把持して取り出す。このとき、ケース３０から眼内レンズ挿入器具１０を取り出す際は、使用者の反対の手又は介助者の手で、ケース本体７０の表面（図１の平面側）の凹凸部６０を側方から把持する。なお、ケース３０から眼内レンズ挿入器具１０を取り出す際に、ケース３０を作業台などに載置して眼内レンズ挿入器具１０を取り出してもよい。なお、ケース３０から眼内レンズ挿入器具１０を取り出すと、可動部材１２２の可動の規制が解除される。続けて使用者は、眼内レンズ挿入器具１０の注入口に粘弾性物質を注入した後、可動部材１２２を押し込む（押出軸Ａの方向に押す）。可動部材１２２が押し込まれることで眼内レンズ１は押出軸Ａ上に移動する。続けて使用者は、眼内レンズ挿入器具１０のノズル部１１２を患者眼の切開創に差し込み、プランジャー２００を押出軸Ａの先端方向に押し込むことで眼内レンズ１を患者眼の眼内に挿入する。
＜３．作用及び効果＞
【００４４】
本実施形態の眼内レンズ挿入器具１０を収容するケース３０は、眼内レンズ挿入器具１０全体を収容する凹凸部６０がシートを変形させる加工方法によって形成されているケース本体７０と，凹凸部６０に収容される眼内レンズ挿入器具１０をケース本体７０とは異なる加工方法によって形成されて、ケース３０に装着される支持部（５０１，５０３）で眼内レンズ挿入器具１０を支持する。ケース本体７０とは異なる加工方法によって形成された支持部（５０１，５０３）で眼内レンズ挿入器具１０を支持するため、ケース３０内部における眼内レンズ挿入器具１０の移動を好適に抑制できる。また、好適な支持力で眼内レンズ挿入器具１０を支持するため、使用時に、ケース３０から眼内レンズ挿入器具１０を容易に取り出すことができる。眼内レンズ挿入器具１０全体を収容するケース本体７０の投影面積よりも支持部（５０１，５０３）の投影面積は小さいため、支持部（５０１，５０３）を安価に製造することができる。また、支持部（５０１，５０３）はプランジャー２００を収容またはプランジャー２００に当接させず支持するため、支持部（５０１，５０３）を安価に製造することができる。また、本実施形態の眼内レンズ挿入器具１０用のケース３０は、ケース３０から眼内レンズ挿入器具１０を取り出しても、ケース３０に支持部（５０１，５０３）が残る。換言するなら、支持部（５０１，５０３）は、眼内レンズ挿入器具１０との係合力よりも大きい係合力でケース本体７０に係合されている。したがって、ケース本体７０とは異なる加工手法で形成した支持部（５０１，５０３）で、ケース本体７０に収容する眼内レンズ挿入器具１０を好適に支持し、かつ、ケース本体７０に支持部（５０１，５０３）を残したまま、ケース３０から眼内レンズ挿入器具１０を好適に取り出すことができる。支持部（５０１，５０３）との係合が外れた状態で眼内レンズ挿入器具１０はケース３０から取り出されるため、取り出した眼内レンズ挿入器具１０を速やかに使用することができる。
【００４５】
また、本実施形態の眼内レンズ挿入器具１０を収容するケース３０は、支持部（５０１，５０３）を複数備え、眼内レンズ挿入器具１０の異なる部位に複数の支持部（５０１，５０３）の各々を当接させて眼内レンズ挿入器具１０を支持する。眼内レンズ挿入器具１０の異なる部位を複数の支持部（５０１，５０３）で支持するため、より好適に眼内レンズ挿入器具１０をケース３０内で支持することができる。
【００４６】
また、本実施形態の眼内レンズ挿入器具１０を収容するケース３０は、複数の支持部（５０１，５０３）の少なくとも２つを連結する連結部５０２を備える。連結部５０２を備えることで、支持部（５０１，５０３）のケース本体７０への装着作業が容易になる。また、例えば、複数の支持部（５０１，５０３）を好適な位置関係で設けることができる。また、本実施形態では、連結部５０２と、連結部５０２によって連結される複数の支持部（５０１，５０３）とが一体形成されている。例えば、複数の支持部（５０１，５０３）を一体成形することで、ケース３０を安価に提供することができる。
【００４７】
また、本実施形態の眼内レンズ挿入器具１０を収容するケース３０は、眼内レンズ挿入器具１０がケース３０に収容された状態において、眼内レンズ挿入器具１０とケース本体７０との間に連結部５０２を挟み込む。眼内レンズ挿入器具１０とケース本体７０の間に連結部５０２を挟み込むことで、例えば、眼内レンズ挿入器具１０をケース３０から取り出す際に、使用者の指が連結部５０２に妨げられることなく眼内レンズ挿入器具１０を容易に把持することができる。したがって、ケース３０から眼内レンズ挿入器具１０を容易に取り出すことができる。
【００４８】
また、本実施形態の連結部５０２は、挿入器具本体１００の幅よりも狭い幅となる幅狭部７００を備えている。眼内レンズ挿入器具１０を支持部材５０で支持した際に、眼内レンズ挿入器具１０の長手方向に直交する方向の連結部５０２の幅を狭めている。幅狭部７００で狭めた幅は、筒状の眼内レンズ挿入器具１０の太さよりも狭めるように形成している。幅狭部７００によって、使用者が眼内レンズ挿入器具１０を指で把持する際に、眼内レンズ挿入器具１０と共に連結部５０２を把持してしまう不具合を抑制することができる。したがって、ケース３０から眼内レンズ挿入器具１０を好適に取り出すことができる。
【００４９】
また、本実施形態のケース本体７０は、凹凸部６０の凹凸形状によって形成されて、ケース３０に収容される挿入器具本体１００を把持する指が挿入されるための空間を形成する把持空間形成部３０１を備える。支持部（５０１，５０３）は把持空間形成部３０１を跨いだ複数の位置で挿入器具本体１００を支持する。把持空間形成部３０１を跨いだ複数の位置で挿入器具本体１００を支持することで、眼内レンズ挿入器具１０を好適に支持でき、また、眼内レンズ挿入器具１０をケース３０から好適に取り出すことができる。
【００５０】
例えば、把持空間形成部３０１の片側だけで眼内レンズ挿入器具１０を支持する場合、眼内レンズ挿入器具１０をケース３０から取り出す際に、支持部（５０１，５０３）を支点として眼内レンズ挿入器具１０が傾き、ノズル部１１２を損傷してしまう恐れがある。本実施形態のケース３０は、取り出す際の眼内レンズ挿入器具１０の傾斜を抑制することができる。なお、換言するなら、本実施形態の眼内レンズ挿入器具収容用のケース３０は、ケース本体７０は、凹凸部６０の凹凸形状によって形成され、ケース３０に収容される挿入器具本体１００を把持する指が挿入されるための空間を形成する把持空間形成部３０１と、凹凸部６０に収容される眼内レンズ挿入器具１０の軸方向において、把持空間形成部３０１よりも先端側と後端側の各々に形成され、支持部（５０１，５０３）が装着される装着部として支持部材係合部９１０を備えている。
【００５１】
また、本実施形態の眼内レンズ挿入器具１０を収容するケース３０は、支持部（５０１，５０３）の少なくともいずれかを、ケース３０に収容される眼内レンズ挿入器具１０の長手方向全長の中間位置に配置する。支持部（５０１，５０３）を眼内レンズ挿入器具１０の長手方向全長ＬＢの中間位置に配置することで、例えば、眼内レンズ挿入器具１０の下方からの支持が少なくても、ケース３０内で眼内レンズ挿入器具１０の上下方向の移動を好適に抑制することができる。
【００５２】
また、本実施形態では、支持部の少なくともいずれかは、ケース３０に収容される設置部１２０に接触することで眼内レンズ挿入器具１０を支持する。ケース３０内での設置部１２０の移動を好適に抑制することができる。したがって、例えば、設置部１２０の部材の損傷を防ぐことができる。
【００５３】
また、本実施形態では、支持部（５０１，５０３）の少なくともいずれかは、挿入器具本体１００の外面から挿入器具本体１００の長手方向に対して直交する方向に張り出す張り出し部１９０に当接される張出当接部８００を備える。張出当接部８００は、張り出し部１９０の先端側及び基端側の少なくとも何れか（本実施形態では先端側）に当接する。張り出し部１９０に張出当接部８００を当接させることで、眼内レンズ挿入器具１０の前後方向の移動を好適に規制することができる。なお、本実施形態の張り出し部１９０は、把持空間形成部３０１に位置する部分より基端側に設けられている。
【００５４】
また、本実施形態の支持部（５０１，５０３）は更に、挿入器具本体１００の可動部材１２２の可動を規制する可動規制部５０４を備える。支持部（５０１，５０３）が有する可動規制部５０４で挿入器具本体１００の可動部材１２２の可動を規制するため、可動部材１２２の可動を好適に規制することができる。ケース３０内での眼内レンズ挿入器具１０の移動を好適に抑制でき、かつ、ケース３０内での挿入器具本体１００の可動部材１２２の可動を好適に規制できため、例えば、搬送中の眼内レンズ挿入器具１０の故障を抑制することができる。
【００５５】
また、本実施形態の眼内レンズ挿入器具１０を収容するケース３０は、眼内レンズ挿入器具１０を収容した眼内レンズ挿入システム４０の一部として製造される。使用現場では支持部（５０１，５０３）で好適に支持され搬送された眼内レンズ挿入器具１０を速やかに使用することができる。なお、本実施形態のケース３０に収容する眼内レンズ挿入器具１０は、製造時に眼内レンズ１を充填する形態としているが、眼内レンズ１を使用現場で充填してもよい。
＜４．その他＞
【００５６】
なお、本実施形態のケース３０は、例えば、眼内レンズ挿入器具１０の少なくとも一部に与えられる外部からの衝撃を低減することができる。また、眼内レンズ挿入器具１０が収容されるケース３０の凹凸部６０の収容空間をシート８０で塞ぐことにより、使用現場に、眼内レンズ挿入器具１０を滅菌した形態で提供することができる。また、紙箱８１からケース３０を取り出し、シート８０を剥がして眼内レンズ挿入器具１０を取り出すだけで眼内レンズ挿入器具１０を使用できる。
【００５７】
なお、本実施形態では眼内レンズ挿入器具１０を支持する支持部（５０１，５０３）をケース３０に装着しているが、これに限るものではない。例えば、ケース本体７０を使用せず、眼内レンズ挿入器具１０と可動規制部５０４を備える支持部（５０１と５０３の少なくともいずれか）だけの組み合わせとしてもよい。可動規制部５０４を支持部（５０１，５０３）で支持した眼内レンズ挿入器具１０を収容袋に入れて使用現場に搬送する手法等が考えられ、この場合においても、挿入器具本体１００の可動部材１２２の可動を可動規制部５０４で好適に規制した状態で使用現場に搬送することができる。また、ケース３０を用いずに、本実施形態の支持部材５０と眼内レンズ挿入器具１０だけの組み合わせとしてもよい。離間した複数の支持部（５０１，５０３）で眼内レンズ挿入器具１０を支持することで、前述した手法より更に挿入器具本体１００の可動部材１２２の可動を可動規制部５０４で好適に規制した状態で使用現場に搬送することができる。また、第一支持部５０１と第二支持部５０３の少なくとも何れかだけを使用してもよい。ケース本体７０と異なる加工方法で形成された支持部（５０１，５０３）を使用すればよい。また、本実施形態で例示した眼内レンズ挿入器具１０は、眼内レンズ１が予め充填されたプリセット型である。しかし、本実施形態で例示した技術の少なくとも一部を、使用現場で眼内レンズが充填される非プリセット型の眼内レンズ挿入器具にも適用できることは言うまでもない。
【００５８】
なお、支持部（５０１，５０３）はケース本体７０と異なる加工方法に限るものでなく、ケース本体７０と異なる材料配分又は弾性特性で形成した支持部（５０１，５０３）を使用してもよい。例えば、支持部（５０１，５０３）の材料に、ケース本体７０よりも弾性が高くなる材料を適用することが考えられる。また、シート８０に支持部材５０又は支持部（５０１，５０３）を設けてもよい。例えば、シート８０の所定位置に支持部材５０を接着し、予め支持部材５０の接着されたシート８０に眼内レンズ挿入器具１０を装着しておいてからシート８０をケース本体７０に接着する手法が考えられる。
【００５９】
なお、今回開示された実施形態はすべての点で例示であって、今回開示された実施形態の構成全てを適用しなくてもよいと考えられるべきである。言い換えるなら、今回開示された実施形態の構成の一部のみを適用してもよい（つまり、今回開示された実施形態が備える複数の技術的特徴の一部のみを実施してもよい）。例えば、ケース３０は第二支持部５０３だけを備えてもよい。また、例えば、本実施形態の挿入部１１０と設置部１２０を提供するカードリッジ方式の形態としてもよい。この場合、可動規制部５０４にカードリッジを支持するための挟持部（５１０又は５２０）を備えればよい。
【００６０】
今回開示された実施形態はすべての点で例示であって、制限的なものではないと考えられるべきである。本発明の範囲は、上記した説明ではなく、特許請求の範囲によって示され、特許請求の範囲及びこれと均等の意味及び範囲内でのすべての変更が含まれることが意図される。
【符号の説明】
【００６１】
１０  眼内レンズ挿入器具
３０  ケース
４０  眼内レンズ挿入システム
７０  ケース本体
５０  支持部材
５０１  第一支持部
５０３  第二支持部
５０４  可動規制部
【図１】
2015208608.tif 000003
【図２】
2015208608.tif 000004
【図３】
2015208608.tif 000005
【図４】
2015208608.tif 000006
【図５】
2015208608.tif 000007
【図６】
2015208608.tif 000008
【図７】
2015208608.tif 000009
【図８】
2015208608.tif 000010
【図９】
2015208608.tif 000011
【図１０】
2015208608.tif 000012
【図１１】
2015208608.tif 000013